(57)【要約】【課題】  ダイアル錠を装着した箱状体の蓋を開け閉めする際の衝撃音を減少させる。【解決手段】  ダイアル錠を組み込んだ本体部３内において、ダイアル錠を解錠したときダイアル機構がフック１８を係止部２に押込むことができるように構成し、このフック１８の先端に突設された係止ピン２１を、ロックカム２６の先端に形成された傾斜縁２７に当接させ、これらの間に生じる楔作用により、ロックカム２６を反時計方向に回動させ、次いでロックカム２６を時計方向に回動させてロックカム２６により係止ピン２１を包持させる。もう１度フック１８を左方に押動することにより、傾斜体３１と係止ピン２１との間に楔作用を生じさせ、ロックカム２６を板厚方向に傾けて係止ピン２１を解放する。【選択図】  図５
2006152761.tif 000002
【特許請求の範囲】
【請求項１】
ダイアル錠が装着される箱状体の蓋に装着される本体部と、蓋の閉鎖時箱状体内部においてこの本体部と対向する位置に装着される係止部とを有し、上記本体部は、蓋の自由端縁部を貫通するようにしてこれに装着される中空のケース内に、相互に独立に回動できるように、かつ入れ子状に嵌合する内側および外側回転体を設け、各回転体の開口端縁の所定の角度位置に、内側および外側切欠を回転体の母線に沿って形成し、これら内側および外側回転体の何れか一方に摘みを同軸に結合して、この摘みの操作により内側および外側切欠を一定の角度位置に揃えるようにしたダイアル機構を構成し、このダイアル機構をケース内において回転体の中心軸線方向に可動に案内し、また、上記ケースの箱状体内に臨む開口部に、これを閉塞するようにフックホルダーを装着し、このフックホルダーのダイアル機構側の内面の所定の角度位置にストッパーを固定すると共に、回転体の中心軸線方向に延在し、ダイアル機構に弾接する方向に付勢された杆状のフックをその長さ方向に移動可能に支承し、更にまた、このフックの先端に半径方向に延在する係止ピンを突設し、一方、前記係止部内に、鈎状の先端部を有し、この先端部の外側に傾斜縁を形成した板状のレバー体で、基端を、係止ピンに垂直な平面内と、板厚方向の自由度２で回動可能に支承されたロックカムを設け、このロックカムを、その鈎部が係止ピンを包持する方向に付勢すると共に、鈎部内側縁に、基部に向かって延伸し、かつ係止ピンの先端方向に傾斜した傾斜体を一体に形成したことを特徴とするダイアル錠。
【請求項２】
ダイアル錠が装着される箱状体の蓋に装着される本体部と、蓋の閉鎖時箱状体内部においてこの本体部と対向する位置に装着される係止部とを有し、上記本体部は、蓋の自由端縁部を貫通するようにしてこれに装着される中空のケース内に、相互に独立に回動できるように、かつ入れ子状に嵌合する内側および外側回転体を設け、各回転体の開口端縁の所定の角度位置に、内側および外側切欠を回転体の母線に沿って形成し、これら内側および外側回転体の何れか一方に摘みを同軸に結合して、この摘みの操作により内側および外側切欠を一定の角度位置に揃えるようにしたダイアル機構を構成し、このダイアル機構をケース内において回転体の中心軸線方向に可動に案内し、また、上記ケースの箱状体内に臨む開口部に、これを閉塞するようにフックホルダーを装着し、このフックホルダーのダイアル機構側の内面の所定の角度位置にストッパーを固定すると共に、回転体の中心軸線方向に延在し、ダイアル機構に弾接する方向に付勢された杆状のフックをその長さ方向に移動可能に支承し、更にまた、このフックの先端に半径方向に延在する係止ピンを突設し、一方、前記係止部内に、鈎状の先端部を有し、この先端部の外側に傾斜縁を形成した板状のレバー体で、基端を、係止ピンに垂直な平面内と、板厚方向の自由度２で回動可能に支承されたロックカムを設け、このロックカムを、その鈎部が係止ピンを包持する方向に付勢すると共に、鈎部内側縁に、基部に向かって延伸し、かつ係止ピンの先端方向に傾斜した傾斜体を一体に形成し、他方、上記本体部のケースを貫通し、ダイアル機構の内側及び外側切欠に共通に係入する空錠ストッパーを設けたことを特徴とするダイアル錠。
【発明の詳細な説明】
【技術分野】
【０００１】
この発明は、ダイアル錠に係り、特に、作動音を大幅に減少させ得るダイアル錠に関する。
【背景技術】
【０００２】
後記特許文献１に記載されているように、従来のダイアル錠は郵便受の蓋等に装着されて使用される場合が多く、この場合、郵便受の蓋を箱に係止する掛金を蓋を開ける動作によって外す仕組みである。
【０００３】
そのため、掛金のストロークが大きく、掛金が戻る際ダイアル錠の他の構成部材に激突して大きな衝撃音が発生し、これが共鳴して大音響になる、等の不都合があった。
【０００４】
そこで、本出願人は、先に、特願平３−１２２０９３号を以て、特許文献１に係るダイアル錠の消音装置を提案し、以て上記した不都合を解消した。
【特許文献１】特許第３１３９６２９号公報
【発明の開示】
【発明が解決しようとする課題】
【０００５】
上記特許文献１に記載のダイアル錠の消音装置は、勿論所期の機能を発揮し、ダイアル錠の作動音を大幅に減少させて実用されている。
【０００６】
しかしながら、このダイアル錠の消音装置は、概して言えば、ダイアル錠に緩衝体を組み込むので、当然その分ダイアル錠の構造が複雑になる。
【０００７】
また、掛金が待機状態に復帰するときの衝突を受け止めて緩衝するので、長期間の使用に対し緩衝体が変質、或いは変形する可能性があり、信頼性において未だ改良の余地がある。
【０００８】
そこで、この発明は、作動原理上緩衝体を用いずとも消音効果を期待できる消音機構を採用することにより消音のメカニズムを改良し、消音機構の信頼性を向上させたダイアル錠を提供することを目的としている。
【課題を解決するための手段】
【０００９】
上記の目的を達成するため、請求項１に記載の発明は、ダイアル錠が装着される箱状体の蓋に装着される本体部と、蓋の閉鎖時箱状体内部においてこの本体部と対向する位置に装着される係止部とを有し、上記本体部は、蓋の自由端縁部を貫通するようにしてこれに装着される中空のケース内に、相互に独立に回動できるように、かつ入れ子状に嵌合する内側及び外側回転体を設け、各回転体の開口端縁の所定の角度位置に、内側及び外側切欠を回転体の母線に沿って形成し、これら内側及び外側回転体の何れか一方に摘みを同軸に結合して、この摘みの操作により内側及び外側切欠を一定の角度位置に揃えるようにしたダイアル機構を構成し、このダイアル機構をケース内において回転体の中心軸線方向に可動に案内し、また、上記ケースの箱状体内に臨む開口部に、これを閉塞するようにフックホルダーを装着し、このフックホルダーのダイアル機構側の内面の所定の角度位置にストッパーを固定すると共に、回転体の中心軸線方向に延在し、ダイアル機構に弾接する方向に付勢された杆状のフックをその長さ方向に移動可能に支承し、更にまた、このフックの先端に半径方向に延在する係止ピンを突設し、一方、前記係止部内に、鈎状の先端部を有し、この先端部の外側に傾斜縁を形成した板状のレバー体で、基端を、係止ピンに垂直な平面内と、板厚方向の自由度２で回動可能に支承されたロックカムを設け、このロックカムを、その鈎部が係止ピンを包持する方向に付勢すると共に、鈎部内側縁に、基部に向かって延伸し、かつ係止ピンの先端方向に傾斜した傾斜体を一体に形成したことを特徴とする。
【００１０】
また、請求項２に記載の発明は、ダイアル錠が装着される箱状体の蓋に装着される本体部と、蓋の閉鎖時箱状体内部においてこの本体部と対向する位置に装着される係止部とを有し、上記本体部は、蓋の自由端縁部を貫通するようにしてこれに装着される中空のケース内に、相互に独立に回動できるように、かつ入れ子状に嵌合する内側及び外側回転体を設け、各回転体の開口端縁の所定の角度位置に、内側及び外側切欠を回転体の母線に沿って形成し、これら内側及び外側回転体の何れか一方に摘みを同軸に結合して、この摘みの操作により内側及び外側切欠を一定の角度位置に揃えるようにしたダイアル機構を構成し、このダイアル機構をケース内において回転体の中心軸線方向に可動に案内し、また、上記ケースの箱状体内に臨む開口部に、これを閉塞するようにフックホルダーを装着し、このフックホルダーのダイアル機構側の内面の所定の角度位置にストッパーを固定すると共に、回転体の中心軸線方向に延在し、ダイアル機構に弾接する方向に付勢された杆状のフックをその長さ方向に移動可能に支承し、更にまた、このフックの先端に半径方向に延在する係止ピンを突設し、一方、前記係止部内に、鈎状の先端部を有し、この先端部の外側に傾斜縁を形成した板状のレバー体で、基端を、係止ピンに垂直な平面内と、板厚方向の自由度２で回動可能に支承されたロックカムを設け、このロックカムを、その鈎部が係止ピンを包持する方向に付勢すると共に、鈎部内側縁に、基部に向かって延伸し、かつ係止ピンの先端方向に傾斜した傾斜体を一体に形成し、他方、上記本体部のケースを貫通し、ダイアル機構の内側及び外側切欠に共通に係入する空錠ストッパーを設けたことを特徴とする。
【発明の効果】
【００１１】
上記のように構成された請求項１に記載の発明によるダイアル錠は、ダイアル錠を解錠して摘みを押動すると、内側及び外側切欠とストッパーとが整合し、後者が前者中に係入できるようになるので、摘みを押すとダイアル機構が係止部方向に移動できるようになる。
【００１２】
すると、フックが係止部内に進入し、その先端に突設された係止ピンがロックカムの先端の傾斜縁に当接し、これらの間に生じる楔作用によりロックカムがその付勢力に抗して回動し、係止ピンが傾斜縁から外れると、ロックカムはその付勢力により係止ピンを包持する方向に回動して、係止ピンを介してフックを係止部にロックする。
【００１３】
この過程において、ダイアル錠の作動音は、係止ピンがロックカムの鈎部内側縁に形成された傾斜体に衝突する音のみなので、殆ど無音に近く、ロック時におけるダイアル錠の作動音を大幅に減少することができる。
【００１４】
また、このダイアル錠をアンロックするときには、係止ピンをロックカムの基端に近づける方向に摘みを少し押動すると、係止ピンと傾斜体との相対位置がずれ、ロックカムの付勢力により係止ピンが傾斜体の裏側に入り込むので、その状態で摘みを離すと、係止ピンと傾斜体との間に生じる楔作用により、ロックカムの先端が板厚方向に回動し、ロックカムと係止ピンとの係合が解け、フックが自由になって蓋を開けることができるようになる。
【００１５】
このときのダイアル錠の作動音は、ロックカムが付勢力に抗して元の位置に戻るときの音のみなので、アンロック時におけるダイアル錠の作動音も大幅に減させることができる。
【００１６】
更にまた、請求項２に記載の発明によれば、空錠ストッパーによりダイアル機構を解錠状態に保持することができるので、ダイアル錠を無音の空錠にすることができる、等種々の効果を奏する。
【発明を実施するための最良の形態】
【００１７】
受部の機構は公知のプッシュ−プッシュ式のスイッチ保持機構を構成しており、この保持機構をダイアル錠に組み込むことにより、その本来の機能からは予測できない効果、すなわち、ダイアル錠の作動音をほとんど無音にできる、という効果を得ることができた。
【実施例１】
【００１８】
以下、この発明の実施例を図面を参照して説明する。
ダイアル錠そのものは公知であり、また、例えば実開昭５７−３８４４９号公報にもその構成が詳細に記載されているから、ここでは簡単に説明する。
【００１９】
但し、後に述べるように、本発明によるダイアル錠においては、所謂番号合せをした後摘みを押すことにより施錠され、再び摘みを押した後摘みを引くことにより蓋を開けることができる。
【００２０】
そのための構成を次に述べると、図１において符号１は本体部を、符号２は係止部を夫々示し、本体部１はこのダイアル錠が装着される郵便受等の箱状体の蓋の自由側端縁部に、係止部２は蓋の閉鎖時郵便受け内部においてこの本体部と対向する位置に夫々装着される。
【００２１】
上記本体部１は、図２に示すように、図示しない蓋の自由側端縁部を貫通するようにしてこれに装着される中空のケース３を備えている。
【００２２】
このケース３内に、相互に独立に回動できるように、かつ入れ子状に嵌合する内側及び外側回転体４、５が配設されている。
【００２３】
そして、図２及び図３に示すように、上記内側及び外側回転体４、５の開口端縁（図３で蛇の目状に表わされている部分）の所定の角度位置に、回転体の母線に沿って、内側及び外側切欠６、７が夫々形成されている。
【００２４】
また、図示の実施例では、図２に示すように、連結ねじ９により内側回転体４と摘み８（図４参照）とが同軸かつ一体的に結合されている。
【００２５】
更にまた、図２に示すように、回り止めを施された状態で内側回転体４及び摘み８に同軸かつ一体的に結合された回転盤１１の内面の所定の角度位置に、ツク１２が突設されている。
【００２６】
これに対応して、外側回転体５の外面（図２で右側の端面）の所定の角度位置にもツク１２が突設されている。
【００２７】
そして、摘み８を時計方向或いは反時計方向の所定の方向に回し、回転盤１１のツク１２と外側回転体５のツク１２との係合を介して外側回転体５を回し、図３に示すように、その外側切欠７を時計盤面に換算して６時の角度位置に置く。
【００２８】
次いで、摘み８を反対方向に所定の角度回し、図３に示すように、内側切欠６を時計盤面に換算して６時の角度位置に置く。
【００２９】
このようにして内側及び外側切欠６、７を所定の角度位置に置き、この角度位置を解錠角度位置とする。
【００３０】
この所謂番号合せの際摘み８の操作にクリック感を与えるため、図２に示すように、摘み８の外周部の円周方向における１０ヵ所に等間隔で１０条のボール溝１３、１３が母線方向に形成されている。
【００３１】
そして、ケース３の円周方向の１ヵ所に内方に付勢されたクリックボール１４が半径方向に移動可能に配設されており、このクリックボール１４がボール溝１３に係合するときに摘みの操作にクリック感を付与する。
【００３２】
上記のように構成されたダイアル機構は、ケース３内において回転体４、５の中心軸線方向に案内されている。
【００３３】
そのため、図１に示すように、外側回転体５及び回転盤１１に跨がるように、これらの外側に薄肉筒状のホルダー１５が嵌合しており、このホルダー１５がケース３の内筒部に摺動可能に嵌合している（図３及び図８参照）。
【００３４】
一方、図２に戻って、ケース３の箱状体内に臨む開口部に、これを閉塞するようにフックホルダー１６がねじ止めされている。
【００３５】
このフックホルダー１６のダイアル機構側の内面の所定の角度位置、すなわち、図示の実施例では戸名盤面に換算して６時の角度位置にストッパー１７が一体的に突設されている。
【００３６】
このストッパー１７の厚さ、すなわち、図２の紙面方向の寸法は前記内側及び外側切欠６、７の幅より小さく設定されており、そのため、切欠６、７が図３に示すように６時の角度位置に整合しているときには、摘み８を押してダイアル機構をフックホルダー１６側に押動すれば、ストッパー１７が切欠６、７中に係入するという態様で、ダイアル機構が係止部方向に移動することができる（図８参照）。
【００３７】
また、上記フックホルダー１６の中心部には、回転体４、５の中心軸方向に延在し、フックばね１９の弾力によりダイアル機構に近接する方向（図２で右方）に付勢された杆状のフック１８がその長さ方向に移動可能に案内されている。
【００３８】
更にまた、フック１８の先端部には、その半径方向に延在する係止ピン２４が例えば打込みにより突設されている。
【００３９】
なお、図示の実施例では、フック１８は例えば小判形等の異形断面となっており、フックホルダー１６に開口した同形のガイド穴と嵌合することにより回り止めが施されている（図示せず）。
【００４０】
他方、図１に戻って、前記係止部２の付番しないケースには、上記フック１８と同軸に案内孔２２が形成されており、この案内孔２２には例えばカップ状のリリーサ２３が摺動可能に支持、案内されている。
【００４１】
そして、このリリーサ２３は、圧縮コイルばねとしてのリリーサばね２４の弾力により、本体部１側に突出してフック１８をケース１内に押し戻す方向に付勢されている。
【００４２】
なお、図示の実施例では、蓋を箱状体に近接させる際フック１７の係止ピン２１を下側にして係止部２に挿入するように構成されている。
【００４３】
そのため、上記案内孔２２の図１における下面には係止ピンとの干渉を避けるため逃げ溝２５が形成されている（図５参照）。
【００４４】
一方、図１において案内孔２２の下方、或いは図５において上面には所謂プッシュ−プッシュ式のキャッチャーをなすロックカム２６が設けられている。
【００４５】
このロックカム２６は、図６及び図７に示すように、鈎状の先端部（右端部）を有し、この先端部の外側に傾斜縁を形成した板状のレバー体である。
【００４６】
そして、基端を、係止ピン２１に垂直な平面内と、板厚方向の自由度２で回動可能に支承されている。
【００４７】
換言すれば、このロックカム２６は、図５の紙面に平行な平面内で回動できると共に、同平面に対し起伏できる。
【００４８】
また、このロックカム２６は、支軸２８（図１参照）に巻装された捩りコイルばねとしてのカムばね２９（図５参照）の弾力により、図５で時計方向に付勢されている。
【００４９】
更にまた、このロックカム２６の鈎部内側縁の鈎基部の部分において細長い傾斜対３１が切り起こされている。
【００５０】
この傾斜体３１は鈎部内側縁からロックカムの基部に向かって延伸しており、係止ピンの先端方向に向かうように傾斜している。
【００５１】
換言すれば、図５及び図６において、傾斜体３１の先端が手前側になるように傾斜している。
【００５２】
上記のように構成された請求項１に記載の発明の一実施例によるダイアル錠は、内側及び／又は外側切欠６、７（図３参照）が時計盤面に換算して６時の角度位置以外の角度位置にあるときには、摘み８を係止部側に押動しても、内側及び外側回転体４、５の開口端縁がストッパー１７（図１参照）に衝止され、フック１８を動かすことができない。
【００５３】
通常のダイアル錠の番号合せをしてダイアル錠を解錠すると、前記したように、ストッパー１７が内側及び外側切欠６、７に係入する態様で（図８参照）ダイアル機構が係止部方向に前進する。
【００５４】
すると、フック１８の先端部が受部の前記案内孔２２内に進入し、リリーサ２３をその付勢力に抗して内方に押動しつつ前進する。
【００５５】
同時に、フックの先端の係止ピン２１が逃げ溝２５（図５参照）と係合しつつ前進し、ロックカム２６の傾斜縁２７に当接した後も更に前進する。
【００５６】
すると、ロックカム２６の先端鈎部は図５において反時計方向に回動し（図５の鎖線参照）、更に係止ピン２１が奥の方に移動すると、係止ピン２１とロックカムの鈎部との係合が外れ、付勢力によりロックカム２６が時計方向に回動して係止ピン２１が傾斜体３１に当接し、このようにしてロックカム２６が係止ピン２１を包持し、これを右方に戻さないように係止する。
【００５７】
このようにしてフック１８を係止部２に係合させる際の音は、係止ピン２１が傾斜体３１に衝突するときの音のみであり、ほとんど無音に近い。
【００５８】
以降、摘みから手を離してダイアル機構を自由にし、要すれば摘み８を時計方向及び／又は反時計方向に回して内側及び外側切欠６、７を解錠角度位置から外す。
【００５９】
このようにすると、蓋が箱状体を閉塞するロック状態になり、このロック状態はダイアル錠により安定に保たれる。
【００６０】
蓋を開けるときには、要すればダイアル機構を解錠状態にし、摘み８を再び係止部２方向に押動する。
【００６１】
この動作により、図５で係止ピン２１が左方に移動し、一定以上移動すると係止ピンと傾斜体３１の係合が外れ、付勢力によりロックカム２６が少し時計方向に回動する結果、係止ピン２１が傾斜体３１の下側（裏側）に位置するようになる。
【００６２】
この状態で摘み８に加えた力を弛めると、リリーサばね２４及びフックばね１９の弾力によりフック１８が外方に移動し、その移動に伴い係止ピン２１と傾斜体３１との間に生じる楔作用により、ロックカム２６の先端が板厚方向に移動して係止ピン２１とロックカムとの係合が外れるので、摘みを引いて蓋を開けばよい。
【実施例２】
【００６３】
図９は請求項２に記載の一実施例によるダイアル錠を示し、この実施例は、請求項１に記載の構成に加え、ケース３の下面に開口した挿入孔３２（図８参照）を通して、合成樹脂等の弾性材料よりなり、全体の形状が略細長いＵ字形の空錠ストッパー３３を挿入し、挿入後これを拡開させて、付番しない段部により抜け止めを施したものである。
【００６４】
なお、上記挿入孔３２の位置は、図８に示すようにダイアル機構を係止部２方向に押込んだとき、ストッパー１７と干渉しない位置に定めるものとする。
【００６５】
上記のように構成されたこの発明の請求項２に記載の発明によれば、摘みの押動のみによって蓋のロック状態、アンロック状態を随時切り替えることができる所謂空錠にすることができる。
【図面の簡単な説明】
【００６６】
【図１】請求項１に記載の発明の位置実施例によるダイアル錠の一部断面側面図。
【図２】その本体部の構成を示す一部断面側面図。
【図３】本体部のホルダーを取り外して示す一部断面正面図。
【図４】摘みの正面図。
【図５】係止部の下面図。
【図６】ロックカムの平面図。
【図７】ロックカムの側面図。
【図８】図２と同様の一部断面側面図で、ダイアル機構が係止部方向に移動した状態を示す。
【図９】請求項２に記載の発明の一実施例によるダイアル錠の本体部のホルダーを取り外して示す一部断面正面図。
【符号の説明】
【００６７】
１  本体部
２  係止部
３  ケース
４  内側回転体
５  外側回転体
６  内側切欠
７  外側切欠
８  摘み
９  連結ねじ
１１  回転盤
１２  ツク
１５  ホルダー
１６  フックホルダー
１７  ストッパー
１８  フック
１９  フックばね
２１  係止ピン
２２  案内孔
２３  リリーサ
２４  リリーサばね
２５  逃げ溝
２６  ロックカム
２７  傾斜縁
３１  傾斜体
３２  挿入孔
３３  空錠ストッパー
【図１】
2006152761.tif 000003
【図２】
2006152761.tif 000004
【図３】
2006152761.tif 000005
【図４】
2006152761.tif 000006
【図５】
2006152761.tif 000007
【図６】
2006152761.tif 000008
【図７】
2006152761.tif 000009
【図８】
2006152761.tif 000010
【図９】
2006152761.tif 000011